(57)【要約】【課題】  プレビュー表示を行うか否かの切換えを容易に行うことの可能なデジタルカメラを提供する。【解決手段】  ステップＳ１２で、プレビュースイッチ２０が押下されているかどうかを判断する。判断が否定された場合、すなわち、プレビュースイッチ２０が押下されていない場合には、ステップＳ１４へ進み、記録制御部４６に対してデジタル画像データを記録する指示を出力してステップＳ２６へ進む。ステップＳ１２で判断が肯定された場合には、ステップＳ１６で、表示制御部４４へプレビュー表示指示を出力する。これにより、表示制御部４４ではＬＣＤ１８へデジタル画像データに基づいた画像を表示する処理が行われてＬＣＤ１８に撮影された被写体の画像が表示される。【選択図】  図４
2005094636.tif 000002
【特許請求の範囲】
【請求項１】
画像を表示可能なディスプレイと、
前記ディスプレイに表示された画像を記録する記録手段と、
前記記録手段への記録前に、撮影された画像を前記ディスプレイに表示するプレビュー処理を実行可能な制御手段と、
前記プレビュー処理の実行及び不実行を１動作で切換え可能な切換え手段と、
を備えたデジタルカメラ。
【請求項２】
前記切換え手段は、プレビュー処理の実行を選択するプレビュー位置とプレビュー処理の不実行を選択するノンプレビュー位置との間を押圧により移動可能な移動部材を含んで構成されていることを特徴とする請求項１に記載のデジタルカメラ。
【請求項３】
前記プレビュー処理が実行された後に、前記ディスプレイに表示された画像を前記記録手段へ記録するか否かの指示を入力可能な指示入力手段、をさらに備えたデジタルカメラ。
【発明の詳細な説明】
【技術分野】
【０００１】
本発明は、デジタルカメラに係り、特に撮影した画像を表示するディスプレイを備えたデジタルカメラに関する。
【背景技術】
【０００２】
一般的に、デジタルカメラには、撮影後、撮影した画像の記録前、に撮影した画像をディスプレイに表示（以下この表示を「プレビュー表示」という）する機能が備えられている。このプレビュー表示は、撮影した画像を確認するためには便利である。ところがプレビュー表示を行うと、撮影後次の撮影を行うまでに時間がかかってしまう。そこで、通常のデジタルカメラでは、次の撮影までの時間を短縮するために、プレビュー表示を行わずに、撮影した画像を記録して次の撮影媒体へ記録する処理を行うこともできるようになっている。
【０００３】
しかしながら、プレビュー表示を行うか否かの処理の切換えは、一般的にユーザーが複雑な手順で行っていた。
【０００４】
また、特許文献１には、押圧スイッチで次の撮影までの時間を短縮する／しないを切換える手法が記載されているが、プレビュー表示を行うか否かの切換えについては記載されていない。
【特許文献１】特開２０００−１７５０９９号公報
【発明の開示】
【発明が解決しようとする課題】
【０００５】
本発明は上記事実を考慮し、プレビュー表示を行うか否かの切換えを容易に行うことの可能なデジタルカメラを提供することを目的とする。
【課題を解決するための手段】
【０００６】
上記課題を解決するため、請求項１に記載の撮像装置は、画像を表示可能なディスプレイと、前記ディスプレイに表示された画像を記録する記録手段と、前記記録手段への記録前に、撮影された画像を前記ディスプレイに表示するプレビュー処理を実行可能な制御手段と、前記プレビュー処理の実行及び不実行を１動作で切換え可能な切換え手段と、を含んで構成されている。
【０００７】
本発明のデジタルカメラには、画像を表示可能なディスプレイ及びディスプレイに表示された画像を記録する記録手段が備えられている。また制御手段では、記録手段への記録前に、撮影された画像をディスプレイに表示するプレビュー処理を実行可能とされている。そして、この構成のデジタルカメラでは、切換え手段により１動作でプレビュー処理の実行及び不実行を切換えることができるので、プレビュー表示を行うか否かの切換えを容易に行うことができる。
【０００８】
なお、プレビュー処理の実行及び不実行の１動作での切換えは、請求項２に記載のように、前記切換え手段を、プレビュー処理の実行を選択するプレビュー位置とプレビュー処理の不実行を選択するノンプレビュー位置との間を押圧により移動可能な移動部材を含んで構成することにより行うことができる。
【０００９】
また、本発明のデジタルカメラは、請求項３に記載のように、前記プレビュー処理が実行された後に、前記ディスプレイに表示された画像を前記記録手段へ記録するか否かの指示を入力可能な指示入力手段をさらに備えることもできる。
【００１０】
上記構成によれば、ユーザーは、プレビュー表示により画像を確認した後、指示入力手段により記録手段へ記録するかしないかの入力をすることができる。
【発明の効果】
【００１１】
本発明のデジタルカメラは上記構成としたので、プレビュー表示を行うか否かの切換えを容易に行うことができる。
【発明を実施するための最良の形態】
【００１２】
以下、図面を参照して、本発明の実施形態について詳細に説明する。
【００１３】
図１（Ａ）に示すように、デジタルカメラ１０は、筐体１２及び撮影用のレンズ１４を備える。筐体１２の前面にはレンズ窓１２Ａが形成されており、レンズ１４がレンズ窓１２Ａから筐体１２の外側に突出可能とされている。図１（Ｂ）にも示すように、筐体１２の上面には、レリーズボタン１６が備えられ、筐体１２の背面には液晶ディスプレイ（以下「ＬＣＤ」という）１８、プレビュースイッチ２０、及び、複数の操作入力部２１が備えられている。レリーズボタン１６は後述するＣＰＵ４０と接続されており、後述するシャッタ２４の駆動タイミングをＣＰＵ４０へ入力可能とされている。操作入力部２１は、ユーザーにより電源のオン・オフやその他の各種指示が入力されるものであり、各々がＣＰＵ４０と接続されている。
【００１４】
プレビュースイッチ２０は、図２に示すように、最も外側に位置する押圧部２０Ａ、押圧部２０Ａと連続された中間部２０Ｂ、最も奥側に位置するストッパー２０Ｃ、及びバネ２０Ｄで構成されている。筐体１２には、プレビュースイッチ２０に対応する位置に凹部１２Ｂが形成されており、プレビュースイッチ２０は、図２（Ｂ）に示すように、押圧により筐体１２と略同一面となる位置まで沈み込むノンプレビュー位置Ｐ２と、図２（Ａ）に示すように、押圧解除によりバネ２０Ｄで付勢されて筐体１２から突出されるプレビュー位置Ｐ１との間を移動可能とされている。プレビュースイッチ２０もＣＰＵ４０と接続されており、プレビュー位置Ｐ１とノンプレビュー位置Ｐ２のいずれに位置しているかの情報がＣＰＵ４０へ伝達可能とされている。
【００１５】
図３に示すように、デジタルカメラ１０には、レンズ１４を通過する光量を調整する絞り２２、光の通過時間を調整するシャッタ２４、及び、光を光電変換してアナログ画像信号を出力するＣＣＤ２６が備えられている。
【００１６】
ＣＣＤ２６はアナログ信号処理部２８と接続され、アナログ信号処理部２８はアナログ／デジタル変換器（以下、「Ａ／Ｄ変換器」という）３０と接続され、Ａ／Ｄ変換器３０はデジタル信号処理部３２と接続されている。アナログ信号処理部２８は、ＣＣＤ２６から入力された信号に対して所定のアナログ信号処理を施す。Ａ／Ｄ変換器３０は、アナログ信号処理部２８から入力されたアナログ信号をデジタル信号に変換してデジタル信号処理部３２へ出力する。デジタル信号処理部３２は、入力されたデジタル信号に対して各種の処理を行い、デジタル画像データを生成する。
【００１７】
また、デジタルカメラ１０には、ＣＰＵ４０、内部メモリ４２、表示制御部４４、及び記録制御部４６が備えられている。前述のデジタル信号処理部３２、ＣＰＵ４０、内部メモリ４２、表示制御部４４、及び記録制御部４６は、バス４８を介して相互に接続されている。
【００１８】
ＣＰＵ４０は各種のプログラムを実行するなどしてデジタルカメラ１０全体の制御を行う。内部メモリ４２にはデジタル信号処理部３２で生成されたデジタル画像データを一時的に記憶可能とされている。記録制御部４６は外部メモリ５０と接続されており、外部メモリ５０へデジタル画像データを書き込む処理、及び、外部メモリ５０からデジタル画像データを読出す処理を実行可能とされている。表示制御部４４はＬＣＤ１８と接続されており、内部メモリ４２に記憶されたデジタル画像データを読み出し、ＬＣＤ１８へ画像表示するのための処理を行う。
【００１９】
さらに、デジタルカメラ１０には、レンズ１４を駆動させるためのレンズ駆動部５２、絞り１４を駆動させるための絞り駆動部５４、シャッタ１６を駆動させるためのシャッタ駆動部５６、及び、ＣＣＤ１８に対する撮影時のタイミング制御を行うＣＣＤ制御部５８が備えられている。レンズ駆動部５２、絞り駆動部５４、シャッタ駆動部５６、及び、ＣＣＤ制御部５８は、ＣＰＵ４０と接続されている。
【００２０】
次に、本実施形態の作用について説明する。
【００２１】
ユーザーがデジタルカメラ１０を使用するときには、まず、操作入力部２１から電源オンを入力する。これにより、デジタルカメラ１０の電源がオンされる。そして、ＣＰＵ４０からレンズ駆動部５２へレンズ駆動の指示がなされ、レンズ１４が筐体１２の外側へ突出される。また、ＣＰＵ４０からＣＣＤ制御部５８へＣＣＤ制御の指示がなされ、ＣＣＤ２６は所定のタイミングで被写体からの光を受け取って光電変換し、光電変換して得られるアナログ信号をアナログ信号処理部２８へ出力する。アナログ信号処理部２８では雑音除去などの所定の処理が行われ、処理後の信号がＡ／Ｄ変換器３０へ出力される。Ａ／Ｄ変換器３０で、アナログ信号はデジタル信号に変換され、デジタル信号がデジタル信号処理部３２へ出力される。デジタル信号処理部３２では入力されたデジタル信号に所定の処理が加えられ、デジタル画像データが生成される。このデジタル画像データが内部メモリ４２に一時記憶されると共に、表示制御部４４へ出力され、表示制御部４４により所定の処理が行われて、デジタル画像データに基づく画像がＬＣＤ１８に所定のフレームレートでリアルタイムに表示される（以下この表示を「スルー表示」という）。
【００２２】
その後ＣＰＵ４０では、図４に示す撮影処理が行われる。ステップＳ１０で、レリーズボタン１６が押下されるまで待機する。ユーザーは、撮影直後に撮影した画像を確認したい場合には、プレビュースイッチ２０を押下してプレビュー位置Ｐ１に位置させた状態でレリーズボタン１６を押下する。一方、撮影直後の画像確認は行わずに、早く次の撮影を行いたい場合には、プレビュースイッチ２０をノンプレビュー位置Ｐ２に位置させたままでレリーズボタン１６を押下する。
【００２３】
ステップＳ１２で、プレビュースイッチ２０が押下されているかどうか、すなわちプレビュースイッチ２０がプレビュー位置Ｐ１に位置しているかどうかを判断する。判断が否定された場合、すなわち、プレビュースイッチ２０が押下されていない場合（プレビュースイッチ２０がノンプレビュー位置Ｐ２に位置している場合）には、ステップＳ１４へ進み、記録制御部４６に対してデジタル画像データを記録する指示を出力してステップＳ２６へ進む。記録制御部４６では外部メモリ５０へデジタル画像データを記録する処理が行われ、これにより外部メモリ５０にデジタル画像データが記録される。
【００２４】
ステップＳ１２で判断が肯定された場合には、ステップＳ１６で、表示制御部４４へプレビュー表示指示を出力する。これにより、表示制御部４４ではＬＣＤ１８へデジタル画像データに基づいた画像を表示する処理が行われてＬＣＤ１８に撮影された被写体の画像が表示される。ステップＳ１８で、図５に示すような記録要否の入力を促す記録要否表示Ｈを出力する。これにより、表示制御部４４ではＬＣＤ１８へ記録要否表示Ｈを表示する処理が行われ、ＬＣＤ１８に記録要否表示Ｈが表示される。そして、ステップＳ２０で、記録の要否が入力されるまで待機する。
【００２５】
ユーザーは、操作入力部２１から、記録が必要な場合は「記録する」を選択して入力し、記録が必要ない場合には「記録しない」を選択して入力する。記録の要否が入力されると、ステップＳ２２で、その入力が「記録する」であったかどうかを判断する。判断が肯定された場合には、ステップＳ２４で、記録制御部４６に対してデジタル画像データを記録する指示を出力する。記録制御部４６では外部メモリ５０へデジタル画像データを記録する処理が行われ、これにより外部メモリ５０にデジタル画像データが記録される。判断が否定された場合には、ステップＳ２６へ進む。ステップＳ２６で、表示制御部４４へプレビュー表示解除の指示を出力して本処理を終了する。表示制御部４４では、プレビュー表示を解除して、スルー表示する処理が行われる。
【００２６】
本実施形態によれば、押圧による１動作でプレビュースイッチ２０をプレビュー位置Ｐ１へ移動させることにより、容易にプレビュー表示を行うことができる。また、プレビュースイッチ２０への押圧を解除することにより、容易にプレビュー表示を行わずに次の撮影開始までに要する時間を短縮することができる。
【００２７】
なお、本実施形態では、プレビュースイッチ２０が筐体１２と略同一面に沈み込む位置と筐体１２から突出する位置との間を移動する構成とした例について説明したが、プレビュースイッチ２０は筐体１２の外面に沿って２つの位置（プレビュー位置とノンプレビュー位置）の間を移動するも構成であってもよい。
【００２８】
また、本実施形態では、プレビュー表示時に記録の要否の入力を促す表示を行ったが、この表示は必ずしも必要ではない。特にこの表示を行うことにより、ユーザーは、プレビュー表示により画像を確認した後、外部メモリ５０へ記録するかしないかの選択をすることができて利便性が向上する。
【図面の簡単な説明】
【００２９】
【図１】（Ａ）は本実施形態のデジタルカメラの前面図であり、（Ｂ）は本実施形態のデジタルカメラの背面図である。
【図２】図１のＡ−Ａの断面図の、（Ａ）はプレビュー位置に配置されたプレビューボタンを示し、（Ｂ）はノンプレビュー位置に配置されたプレビューボタンを示す図である。
【図３】本実施形態のデジタルカメラの概略ブロック図である。
【図４】本実施形態の撮影処理のフローチャートである。
【図５】ＬＣＤに撮影した画像及び記録要否の入力を促す表示が行われた例を示す図である。
【符号の説明】
【００３０】
１０  デジタルカメラ
２０  プレビュースイッチ（切換え手段）
４０  ＣＰＵ（制御手段）
５０  外部メモリ（記録手段）
Ｐ１  プレビュー位置
Ｐ２  ノンプレビュー位置
Ｓ１６  ステップ（プレビュー処理）
Ｓ１８  ステップ（指示入力手段）
【図１】
2005094636.tif 000003
【図２】
2005094636.tif 000004
【図３】
2005094636.tif 000005
【図４】
2005094636.tif 000006
【図５】
2005094636.tif 000007